(57)【特許請求の範囲】
【請求項１】
複数の媒体の各々に個体ごとの媒体識別データが記録されており、複数の前記媒体がマガジンに配列されている複数の媒体収納部に個々に装填され、前記マガジンがライブラリ装置本体のマガジン収納部に個々にセットされるライブラリ装置の、前記マガジンであって、
複数の前記媒体の装填を規定順序に制限する装填制限機構を有する、マガジン。
【請求項２】
前記媒体から取得された前記媒体識別データを前記規定順序に対応させて記憶する媒体記憶手段も有する、請求項１に記載のマガジン。
【請求項３】
前記媒体記憶手段は、複数の前記媒体収納部と複数の前記媒体識別データとを対応させて記憶する、請求項２に記載のマガジン。
【請求項４】
制限された前記規定順序で前記媒体収納部に装填される前記媒体の前記媒体識別データを取得するデータ取得手段が着脱自在に装着される、請求項２または３に記載のマガジン。
【請求項５】
制限された前記規定順序で前記媒体収納部に装填される前記媒体の前記媒体識別データを取得するデータ取得手段も有する、請求項２または３に記載のマガジン。
【請求項６】
複数の媒体の各々に個体ごとの媒体識別データが記録されており、複数の前記媒体がマガジンに配列されている複数の媒体収納部に個々に装填され、前記マガジンがライブラリ装置本体のマガジン収納部にセットされるライブラリ装置であって、
請求項１に記載の前記マガジンと、
制限された前記規定順序で前記マガジンに装填される前記媒体の前記媒体識別データを取得するデータ取得手段と、
取得された前記媒体識別データと前記規定順序とに対応してインベントリ処理を実行するインベントリ実行手段と、
を有するライブラリ装置。
【請求項７】
複数の媒体の各々に個体ごとの媒体識別データが記録されており、複数の前記媒体がマガジンに配列されている複数の媒体収納部に個々に装填され、前記マガジンがライブラリ装置本体のマガジン収納部にセットされるライブラリ装置であって、
請求項２ないし５の何れか一項に記載の前記マガジンと、
前記マガジンに記憶されている前記媒体識別データと前記規定順序とに対応してインベントリ処理を実行するインベントリ実行手段と、
を有するライブラリ装置。
【発明の詳細な説明】
【技術分野】
【０００１】
本発明は、複数の媒体が装填されてライブラリ装置本体にセットされるマガジン、このようにマガジンがセットされるライブラリ装置、に関する。
【背景技術】
【０００２】
現在、アクセス頻度が低い大容量データを保存するため、テープライブラリ装置などのライブラリ装置が使用されている。このようなライブラリ装置では、ボックス状の媒体に収容されている磁気テープなどに電子データを記録しておく。
【０００３】
このようなライブラリ装置では、複数の媒体を直方体状のマガジンに左右方向に配列して装填する。一般的なライブラリ装置には、マガジンが左右方向にセットされる。
【０００４】
このような多層構造のライブラリ装置では、セットされたマガジン収納部に装填されている複数のマガジンに、アクセッサ移送装置で左右方向に移送されるハンドアクセッサが媒体を出し入れする。
【０００５】
上述のようなライブラリ装置の媒体は、個体を識別するためにＩＤ(Identity)データが記録されたバーコードマークがラベルや印刷で付与されている。そこで、複数の媒体を装填したマガジンをライブラリ装置にセットすると、インベントリ処理として、バーコードリーダが搭載されているハンドアクセッサが左右に移動し、複数の媒体のバーコードマークを個々に取得する。
【０００６】
このインベントリ処理により、ライブラリ装置では、どの媒体が何処に装填されているかが特定されるので、例えば、その記録に基づいて以後の媒体の移送が実行される。
【０００７】
ただし、このインベントリ処理はハンドアクセッサが機械的に移動して複数の媒体のバーコードマークを個々に取得するので、多分に時間を必要とする。そこで、これを解決するため、前後に分配された一対の媒体のバーコードマークを、ハンドアクセッサのバーコードリーダが可動ミラーで取得するライブラリ装置が提案されている(例えば、特許文献１参照)。
【０００８】
なお、現在は複数の媒体を左右方向だけでなく上下方向にも配列してマガジンに装填し、複数のマガジンを上下方向にも配列してセットする多層構造のライブラリ装置もある。
【０００９】
このようなライブラリ装置に、複数の媒体が装填されたマガジンがセットされると、ハンドアクセッサが上下左右に移動してバーコードリーダで複数の媒体のバーコードマークを個々に取得する(例えば、特許文献２参照)。
【００１０】
さらに、複数の媒体をマガジンに前後方向にも配列して装填する、ディープタイプのライブラリ装置もある。このようなライブラリ装置では、通常はマガジンに前後二列に媒体が装填される。
【００１１】
このため、このディープタイプのライブラリ装置では、マガジンに前後二列に装填されている媒体を、ハンドアクセッサが順番に取り出して、そのバーコードマークをバーコードリーダで個々に取得する(例えば、特許文献３参照)。
【先行技術文献】
【特許文献】
【００１２】
【特許文献１】特開２００９−１３４６５７号公報
【特許文献２】特開２０１１−２０４２９３号公報
【特許文献３】特開２００９−２３８２６０号公報
【発明の概要】
【発明が解決しようとする課題】
【００１３】
現在のライブラリ装置は、複数の媒体が装填されたマガジンがセットされると、インベントリ処理としてハンドアクセッサが左右方向などに移動し、そのバーコードリーダで複数の媒体のバーコードマークを個々に取得する。
【００１４】
しかし、近年のライブラリ装置では、マガジンに上下左右に配列されて装填される媒体の個数が増大する傾向にある。一方、上述のようなインベントリ処理はハンドアクセッサを左右方向などに機械的に移動させるので、その高速化には制限がある。
【００１５】
このため、現在のライブラリ装置では、マガジンがセットされてからインベントリ処理が完了するまで多分に時間を要しており、マガジンをセットした直後に媒体をハンドアクセッサで移送することができない。
【００１６】
例えば、特許文献１に記載のライブラリ装置では、ハンドアクセッサを移動させることなく、前後一対の媒体のバーコードマークを取得できる。しかし、それでも一度に取得できるのは前後一対の媒体に過ぎず、最高でもインベントリ処理の所用時間を半分にしかできない。特に、前述のようにディープタイプのライブラリ装置には、特許文献１に記載の技術を適用してもインベントリ処理の所用時間の短縮は僅かである。
【００１７】
本発明は上述のような課題に鑑みてなされたものであり、マガジンに配列されて装填される媒体が多数でもインベントリ処理を高速に完了することができるライブラリ装置、そのマガジンおよびコンピュータプログラム、を提供するものである。
【課題を解決するための手段】
【００１８】
本発明のマガジンは、複数の媒体の各々に個体ごとの媒体識別データが記録されており、複数の上記媒体がマガジンに配列されている媒体収納部に個々に装填され、少なくとも一個の上記マガジンがライブラリ装置本体の少なくとも一つのマガジン収納部に個々にセットされるライブラリ装置の上記マガジンであって、複数の上記媒体の装填を規定順序に制限する装填制限機構を有する。
【００１９】
本発明の第一のライブラリ装置は、複数の媒体の各々に個体ごとの媒体識別データが記録されており、複数の上記媒体がマガジンに配列されている複数の媒体収納部に個々に装填され、上記マガジンがライブラリ装置本体のマガジン収納部にセットされるライブラリ装置であって、本発明の上記マガジンと、制限された上記規定順序で上記マガジンに装填される上記媒体の上記媒体識別データを取得するデータ取得手段と、取得された上記媒体識別データと上記規定順序とに対応してインベントリ処理を実行するインベントリ実行手段と、を有する。
【００２０】
本発明の第二のライブラリ装置は、複数の媒体の各々に個体ごとの媒体識別データが記録されており、複数の上記媒体がマガジンに配列されている複数の媒体収納部に個々に装填され、上記マガジンがライブラリ装置本体のマガジン収納部にセットされるライブラリ装置であって、本発明の上記マガジンと、上記マガジンに記憶されている上記媒体識別データと上記規定順序とに対応してインベントリ処理を実行するインベントリ実行手段と、を有する。
【発明の効果】
【００２１】
本発明のマガジンでは、複数の媒体収納部への複数の媒体の装填を装填制限機構が規定順序に制限する。このため、ライブラリ装置では、マガジンの複数の媒体収納部と装填されている複数の媒体との対応関係が、規定順序と媒体識別データとで判明する。従って、ハンドアクセッサの機械動作などを必要とすることなくインベントリ処理を実行することができる。
【図面の簡単な説明】
【００２２】
【図１】本発明の実施の一形態のライブラリ装置のマガジンの内部構造を示す模式的な横断平面図である。
【図２】本発明の実施の一形態のライブラリ装置のマガジンの内部構造を示す模式的な横断平面図である。
【図３】本発明の実施の一形態のライブラリ装置のマガジンの内部構造を示す模式的な横断平面図である。
【図４】本発明の実施の一形態のライブラリ装置のマガジンの内部構造を示す模式的な横断平面図である。
【図５】本発明の実施の一形態のライブラリ装置の内部構造を示す縦断側面図である。
【図６】本発明の実施の一形態のライブラリ装置のマガジンの要部構造を示す二面図である。
【図７】本発明の実施の一形態のライブラリ装置のマガジンの要部構造を示す二面図である。
【図８】本発明の実施の一形態のライブラリ装置のマガジンの要部構造を示す二面図である。
【図９】本発明の実施の一形態のライブラリ装置のマガジンの上方規制機構を示す分解斜視図である。
【図１０】本発明の実施の一形態のライブラリ装置のマガジンの下方規制機構を示す分解斜視図である。
【図１１】本発明の実施の一形態のライブラリ装置のマガジンの左方規制機構を示す分解斜視図である。
【図１２】本発明の実施の一形態のライブラリ装置のマガジンとデータ取得ユニットとの接続関係を示す模式的な横断平面図である。
【図１３】本発明の実施の一形態のライブラリ装置のライブラリ装置本体とマガジンとの接続関係を示す模式的な横断平面図である。
【図１４】本発明の実施の一形態のライブラリ装置のマガジンのマガジン回路ユニットのデータ記憶構造を示す模式図である。
【図１５】本発明の実施の一形態のライブラリ装置での媒体の移動を示す模式図である。
【図１６】本発明の実施の一形態のライブラリ装置での媒体の移動を示す模式図である。
【図１７】本発明の実施の一形態のライブラリ装置での媒体の移動を示す模式図である。
【図１８】本発明の実施の一形態のライブラリ装置の一変形例のマガジンとデータ取得ユニットとの接続関係を示す模式的な横断平面図である。
【発明を実施するための形態】
【００２３】
本発明の実施の一形態に関して図１ないし図１６を参照して以下に説明する。なお、本発明では上下以外にも前後左右の方向を規定しているが、これは本発明の構成要素の相対関係を簡単に説明するために便宜的に規定したものであり、本発明を実施する場合の製造時や使用時の方向を限定するものではない。
【００２４】
また、本発明で云う前後上下左右の方向とは、完全に幾何学的に直交している必要はなく、相対的に前後上下左右となる方向となっていればよく、例えば、各方向が任意の方向に傾斜していてもよい。
【００２５】
例えば、本発明で云う上下方向に移動するとは、移動の結果として上下方向に相違する位置に変位することを意味しており、移動の方向そのものが厳密に鉛直方向である必要はない。
【００２６】
本実施の形態のライブラリ装置１０００は、いわゆるテープライブラリ装置であり、電子データが記録されている磁気テープ(図示せず)が、ボックス状の媒体１２００に収容されている。複数の媒体１２００の各々には、個体ごとの媒体識別データがバーコードマークなどで記録されている(図示せず)。
【００２７】
図１ないし図４に示すように、マガジン１３００のマガジン本体１３１０には、複数の媒体収納部１３１１が前後左右上下に配列されて形成されている。このように形成されたマガジン１３００の複数の媒体収納部１３１１に、複数の媒体１２００が個々に装填される。
【００２８】
本実施の形態のライブラリ装置１０００では、説明を簡単とするため、図２に示すように、マガジン１３００に媒体収納部１３１１が、左右方向に三列、前後方向に二行、上下方向に二段、に形成されているとする。
【００２９】
このようなマガジン１３００は、図５に示すように、ライブラリ装置本体１１００の上下二段のマガジン収納部１１１０に個々にセットされる。なお、当然ながら、上述のような媒体収納部１３１１やマガジン収納部１１１０の個数は仕様により設定される。
【００３０】
上述のように複数の媒体１２００が複数のマガジン１３００でライブラリ装置本体１１００にセットされると、ライブラリ装置１０００の内部には、多数の媒体１２００が前後左右上下に配列されることになる。
【００３１】
そこで、本実施の形態のライブラリ装置１０００では、アクセッサ移送機構１４１０により支持されたハンドアクセッサ１４００が、上述のように配列された複数の媒体１２００と対向する。
【００３２】
アクセッサ移送機構１４１０は、ガイドレールやラックアンドピニオンや駆動モータ等を有しており(図示せず)、ハンドアクセッサ１４００を前後左右上下に移動自在に支持している。
【００３３】
ハンドアクセッサ１４００は、媒体１２００に係脱自在に係合する媒体係合爪(図示せず)等を有しており、セットされたマガジン１３００に装填されている複数の媒体１２００の任意の一個にアクセスする。
【００３４】
ただし、上述のようにハンドアクセッサ１４００が、前後左右上下に配列された多数の媒体１２００の任意の一個にアクセスするためには、セットされたマガジン１３００の、どの媒体収納部１３１１に、どの媒体１２００が装填されているか、を認識するインベントリ処理が必要となる。
【００３５】
このため、本実施の形態のライブラリ装置１０００のマガジン１３００には、図１ないし図４等に示すように、複数の媒体１２００の装填を規定順序に制限する装填制限機構２０００が搭載されている。
【００３６】
そして、本実施の形態のライブラリ装置１０００は、データ取得ユニット１５００と、インベントリ実行手段に相当する本体処理回路１６２０と、を有する。データ取得ユニット１５００は、詳細には後述するが、マガジン１３００に着脱自在なユニット接続コネクタ１５１０やバーコードリーダ１５２０等からなり、上述のように制限された規定順序でマガジン１３００に装填される媒体１２００の媒体識別データを取得する。
【００３７】
本体処理回路１６２０は、実装されているコンピュータプログラムに対応してライブラリ装置１０００の各部を動作制御するマイクロコンピュータなどからなり、上述のように取得された媒体識別データと規定順序とに対応してインベントリ処理を実行する。
【００３８】
より具体的には、本実施の形態のライブラリ装置１０００のマガジン１３００の装填制限機構２０００は、図１ないし図４および図６ないし図１１に示すように、上方規制機構２１００、下方規制機構２２００、左方規制機構２３００、からなる。
【００３９】
上方規制機構２１００は、図９に示すように、上方装填ストッパ２１１０とストッパ押圧部材２１２０とを有する。上方装填ストッパ２１１０は、レバースライド部２１１１、装填規制アーム２１１２、規制解除アーム２１１３、等からなる。レバースライド部２１１１は、上下一対の媒体収納部１３１１に連通する直方体状に形成されている。
【００４０】
マガジン本体１３１０は、媒体収納部１３１１の両側に位置するスロット側壁１３１４の後部に矩形の貫通孔１３１２が形成されており、この貫通孔１３１２に上方装填ストッパ２１１０のレバースライド部２１１１が左方からスライド自在に挿入されている。
【００４１】
装填規制アーム２１１２は、上述のようなレバースライド部２１１１の左面上部から前方に突設されている。この装填規制アーム２１１２は、図６および図８に示すように、上方後端の媒体収納部１３１１から上方前端の媒体収納部１３１１の内部に位置することで、上方前後の媒体収納部１３１１への媒体１２００の装填を阻止する。
【００４２】
規制解除アーム２１１３は、レバースライド部２１１１の左面下部から前後に突設されており、その後端には後方および左方に傾斜した媒体スライド斜面２１１４が形成されている。この規制解除アーム２１１３は、下方後端の媒体収納部１３１１の内部に位置する。
【００４３】
ストッパ押圧部材２１２０は、所定形状に屈曲された板バネからなり、スロット側壁１３１４の左面と規制解除アーム２１１３の右面との間隙に前後一対が配置されている。このため、ストッパ押圧部材２１２０は、上方装填ストッパ２１１０を左方に弾発的に押圧している。
【００４４】
そこで、本実施の形態のマガジン１３００では、図１ないし図４および図６および図８に示すように、左右一方のａ列目(ａは任意の奇数の自然数)である右端および左端の、下方後端の媒体収納部１３１１に上方装填ストッパ２１１０の規制解除アーム２１１３が位置しており、上方前後の媒体収納部１３１１に上方装填ストッパ２１１０の装填規制アーム２１１２が位置している。
【００４５】
このため、本実施の形態のマガジン１３００では、初期状態では右端および左端の上方前後の媒体収納部１３１１への媒体１２００の挿入が、上方規制機構２１００の上方装填ストッパ２１１０で規制されており、右端の下方前後の媒体収納部１３１１への媒体１２００の挿入は規制されていない。
【００４６】
また、下方規制機構２２００は、図１０に示すように、下方装填ストッパ２２１０とストッパ押圧部材２２２０とを有する。下方装填ストッパ２２１０は、レバースライド部２２１１、装填規制アーム２２１２、規制解除アーム２１１３、等からなる。
【００４７】
レバースライド部２２１１は、上下一対の媒体収納部１３１１に連通する直方体状に形成されている。このレバースライド部２２１１も、マガジン本体１３１０のスロット側壁１３１４の後部の貫通孔１３１２に左方からスライド自在に挿入されている。
【００４８】
装填規制アーム２２１２は、上述のようなレバースライド部２２１１の左面下部から前方に突設されている。この装填規制アーム２２１２は、下方後端の媒体収納部１３１１から下方前端の媒体収納部１３１１の内部に位置することで、下方前後の媒体収納部１３１１への媒体１２００の装填を阻止する。
【００４９】
規制解除アーム２１１３は、レバースライド部２２１１の左面上部から前後に突設されており、その後端には後方および左方に傾斜した媒体スライド斜面２２１４が形成されている。この規制解除アーム２１１３は、上方後端の媒体収納部１３１１の内部に位置する。
【００５０】
ストッパ押圧部材２２２０は、所定形状に屈曲された板バネからなり、スロット側壁１３１４の左面と規制解除アーム２１１３の右面との間隙に前後一対が配置されている。このため、ストッパ押圧部材２２２０は、下方装填ストッパ２２１０を左方に弾発的に押圧している。
【００５１】
そこで、本実施の形態のマガジン１３００では、図１ないし図４および図７に示すように、左右一方の(ａ＋１)列目である左右中央の、下方前後の媒体収納部１３１１に下方装填ストッパ２２１０の装填規制アーム２２１２が位置しており、上方後端の媒体収納部１３１１に下方装填ストッパ２２１０の規制解除アーム２１１３が位置している。
【００５２】
このため、本実施の形態のマガジン１３００では、初期状態では左右中央の下方前後の媒体収納部１３１１への媒体１２００の挿入が、下方規制機構２２００の下方装填ストッパ２２１０で規制されている。
【００５３】
左方規制機構２３００は、図１１に示すように、左方装填ストッパ２３１０とストッパ支持軸２３２０とストッパ押圧部材２３３０と、を有する。左方装填ストッパ２３１０は、前後方向に細長形状に形成されており、上下方向に貫通するストッパ軸受部材２３１１が略中央に内蔵されている。さらに、左方装填ストッパ２３１０は、左面後部に押圧係合段部２３１２が形成されており、前端に右方と後方とに傾斜する媒体当接斜面２３１３が形成されている。
【００５４】
この左方装填ストッパ２３１０は、図７に示すように、左右一方のａ列目と(ａ＋１)列目との媒体収納部１３１１を区分するスロット側壁１３１４の前部上方、図８に示すように、(ａ＋１)列目とａ列目との媒体収納部１３１１を区分するスロット側壁１３１４の前部下方、の矩形の貫通孔１３１３に挿通されている。
【００５５】
このような状態で、スロット側壁１３１４の貫通孔１３１３と左方装填ストッパ２３１０のストッパ軸受部材とを上下方向に貫通するストッパ支持軸２３２０により、水平方向に回動自在に軸支されている。
【００５６】
ストッパ押圧部材２３３０は、コイルスプリングなどからなり、上述のように回動自在に軸支された左方装填ストッパ２３１０の押圧係合段部２３１２とスロット側壁１３１４の右面との間隙に圧入されている。このため、左方装填ストッパ２３１０は、後部が右方に前部が左方に付勢されている。
【００５７】
このため、本実施の形態のマガジン１３００では、初期状態では左右一方の(ａ＋１)列目である左右中央の上方前後の媒体収納部１３１１への媒体１２００の挿入と、(ａ＋２)列目である左端の下方前後の媒体収納部１３１１への媒体１２００の挿入と、が左方規制機構２３００の左方装填ストッパ２３１０で規制されている。
【００５８】
また、本実施の形態のマガジン１３００では、図１２に示すように、マガジン天板(図示せず)などにマガジン回路ユニット１３３０が搭載されている。このマガジン回路ユニット１３３０には、メモリ回路(図示せず)が実装されている。
【００５９】
さらに、マガジン回路ユニット１３３０には、マガジン接続コネクタ１３３１が接続されており、このマガジン接続コネクタ１３３１にはマガジン接続電極１３３２が実装されている。
【００６０】
そして、本実施の形態のライブラリ装置１０００は、上述のようなマガジン１３００に着脱自在なデータ取得ユニット１５００を有する。このデータ取得ユニット１５００は、ユニット接続コネクタ１５１０やバーコードリーダ１５２０からなる。
【００６１】
ユニット接続コネクタ１５１０にはユニット接続電極１５１１が実装されており、これがマガジン１３００のマガジン接続コネクタ１３３１のマガジン接続電極１３３２と着脱自在に接続される。
【００６２】
このような状態で、バーコードリーダ１５２０は、マガジン１３００に規定順序で装填されるマガジン１３００の媒体識別データを取得する。マガジン１３００のマガジン回路ユニット１３３０は、図１４に示すように、上述のように取得された媒体識別データを規定順序に対応して記憶する。
【００６３】
また、本実施の形態のライブラリ装置１０００は、図１３に示すように、ライブラリ装置本体１１００の内部右端などに、本体回路ユニット１６００が搭載されている。この本体回路ユニット１６００には、テープドライブ１６１０、本体処理回路１６２０、等が内蔵されている。
【００６４】
テープドライブ１６１０は、ハンドアクセッサ１４００により挿入される媒体１２００をドライブする。本体処理回路１６２０は、前述のようにライブラリ装置１０００の各部を動作制御するマイクロコンピュータなどからなる。
【００６５】
この本体処理回路１６２０には、本体接続電極１６２１が接続されており、これがライブラリ装置本体１１００にセットされるマガジン１３００のマガジン接続電極１３３２と着脱自在に接続される。
【００６６】
このような本体処理回路１６２０のコンピュータプログラムは、例えば、マガジン収納部１１１０にセットされたマガジン１３００から規定順序と媒体識別データとを取得すること、取得した規定順序と媒体識別データとに対応してインベントリ処理を実行すること、をライブラリ装置１０００に実行させるように記述されている。
【００６７】
上述のような構成において、本実施の形態のライブラリ装置１０００では、複数の媒体１２００がマガジン１３００に装填され、このマガジン１３００がライブラリ装置本体１１００にセットされると、インベントリ処理が実行される。
【００６８】
より詳細には、作業者(図示せず)は、図１２に示すように、媒体１２００を装填するマガジン１３００のマガジン接続電極１３３２に、データ取得ユニット１５００のユニット接続電極１５１１を接続する。
【００６９】
そして、このデータ取得ユニット１５００のバーコードリーダ１５２０で媒体１２００の媒体識別データを取得する。すると、その媒体１２００の媒体識別データは、マガジン１３００のマガジン回路ユニット１３３０に記憶される。
【００７０】
上述のように媒体識別データが取得された媒体１２００が、マガジン１３００の媒体収納部１３１１に装填される。ただし、この媒体１２００を装填できるマガジン１３００の媒体収納部１３１１は、規定順序に対応して規制されている。
【００７１】
本実施の形態のマガジン１３００は、図１ないし図４に示すように、媒体１２００が個々に装填される媒体収納部１３１１が、左右三列、前後二行、上下二段、に形成されている。
【００７２】
ただし、本実施の形態のマガジン１３００は、図１に示すように、初期状態では左端上方前後の媒体収納部１３１１に上方規制機構２１００の装填規制アーム２１１２が突出している。このため、左端上方前後の媒体収納部１３１１への媒体１２００の装填が上方規制機構２１００により規制されている。
【００７３】
また、左端下方前方の媒体収納部１３１１には左方規制機構２００の左方装填ストッパ２３１０が突出しているので、左端下方前後の媒体収納部１３１１への媒体１２００の装填も規制されている。
【００７４】
さらに、中央下方前後の媒体収納部１３１１に下方規制機構２２００の装填規制アーム２２１２が突出しているので、中央下方前後の媒体収納部１３１１への媒体１２００の装填も規制されている。
【００７５】
また、中央上方前方の媒体収納部１３１１には左方規制機構２００の左方装填ストッパ２３１０が突出しているので、中央上方前後の媒体収納部１３１１への媒体１２００の装填も規制されている。
【００７６】
さらに、右端上方前後の媒体収納部１３１１に上方規制機構２１００の装填規制アーム２１１２が突出しているので、右端上方前後の媒体収納部１３１１への媒体１２００の装填も規制されている。
【００７７】
このため、本実施の形態のマガジン１３００は、初期状態では右端下方前後の媒体収納部１３１１のみ媒体１２００を装填できる状態となっている。このため、前述のように媒体識別データが取得された第一番目および第二番目の媒体１２００は、図２に示すように、マガジン１３００の右端下方前後の媒体収納部１３１１に規定順序で装填される。
【００７８】
このとき、マガジン１３００の右端下方後端の媒体収納部１３１１まで第一番目の媒体１２００が装填されると、図２(ｂ)に示すように、これが上方規制機構２１００の規制解除アーム２１１３の媒体スライド斜面２１１４をスライドして押圧する。
【００７９】
このため、上方規制機構２１００の上方装填ストッパ２１１０が右方に変位し、マガジン１３００の右端上方前後の媒体収納部１３１１から退避する。従って、マガジン１３００の右端上方前後の媒体収納部１３１１への媒体１２００の挿入の規制が解除される。
【００８０】
そこで、このマガジン１３００の右端上方前後の媒体収納部１３１１に、図３に示すように、前述のように媒体識別データが取得された第三番目および第四番目の媒体１２００が規定順序で装填される。
【００８１】
このとき、マガジン１３００の右端上方後端の媒体収納部１３１１まで媒体１２００が装填されると、図３(ｂ)に示すように、これが左方規制機構２３００の左方装填ストッパ２３１０の後部を押圧して左方に回動させる。
【００８２】
このため、左方規制機構２３００の左方装填ストッパ２３１０の前部が右方に変位し、マガジン１３００の中央上方前部の媒体収納部１３１１から退避する。従って、マガジン１３００の中央上方前後の媒体収納部１３１１への媒体１２００の挿入の規制が解除される。
【００８３】
そこで、このマガジン１３００の中央上方前後の媒体収納部１３１１に、図４に示すように、前述のように媒体識別データが取得された媒体１２００が規定順序で装填される。
【００８４】
このとき、マガジン１３００の中央上方後端の媒体収納部１３１１まで媒体１２００が装填されると、図４(ｂ)に示すように、これが下方規制機構２２００の規制解除アーム２２１３の媒体スライド斜面２２１４をスライドして押圧する。
【００８５】
このため、下方規制機構２２００の下方装填ストッパ２２１０が右方に変位し、マガジン１３００の中央下方前後の媒体収納部１３１１から退避する。従って、マガジン１３００の中央下方前後の媒体収納部１３１１への媒体１２００の挿入の規制が解除される。
【００８６】
そこで、このマガジン１３００の中央下方前後の媒体収納部１３１１に、前述のように媒体識別データが取得された媒体１２００が規定順序で装填される。
【００８７】
以下同様に、図１(ｂ)に示すように、媒体識別データが取得された媒体１２００が、マガジン１３００の左端下方前後の媒体収納部１３１１に規定順序で装填されてから、左端上方前後の媒体収納部１３１１に規定順序で装填される。
【００８８】
すると、本実施の形態のマガジン１３００では、上述のように規定順序で装填された媒体１２００の媒体識別データが、マガジン回路ユニット１３３０に記憶された状態となる。
【００８９】
なお、ここではマガジン１３００の複数の媒体収納部１３１１の全部に媒体１２００が個々に装填される場合を説明したが、図１４に示すように、マガジン１３００の複数の媒体収納部１３１１の一部のみに媒体１２００が個々に装填されることもある。
【００９０】
上述のようにマガジン１３００への媒体１２００の装填が完了すると、図１２(ａ)に示すように、作業者はデータ取得ユニット１５００をマガジン１３００から取り外す。
【００９１】
そして、このような状態のマガジン１３００を、図１３に示すように、ライブラリ装置本体１１００のマガジン収納部１１１０にセットする。すると、マガジン１３００のマガジン接続電極１３３２と、ライブラリ装置本体１１００の本体処理回路１６２０の本体接続電極１６２１と、が接続される。
【００９２】
すると、マガジン１３００のマガジン回路ユニット１３３０から、ライブラリ装置本体１１００の本体処理回路１６２０へと、規定順序と複数の媒体識別データとが取得される。そこで、この本体処理回路１６２０は、取得された規定順序と複数の媒体識別データとでインベントリ処理を実行する。
【００９３】
本実施の形態のライブラリ装置１０００では、上述のようにマガジン１３００への複数の媒体１２００の装填を装填制限機構２０００が規定順序に制限し、制限された規定順序でマガジン１３００に装填される媒体１２００の媒体識別データをデータ取得ユニット１５００が取得し、取得された媒体識別データと規定順序とに対応して本体回路ユニット１６００がインベントリ処理を実行する。
【００９４】
このため、マガジン１３００の複数の媒体収納部１３１１と装填されている複数の媒体１２００との対応関係が、規定順序と媒体識別データとで判明する。従って、ハンドアクセッサ１４００の機械動作などを必要とすることなくインベントリ処理を実行することができる。
【００９５】
特に、本実施の形態のライブラリ装置１０００では、マガジン１３００に左右前後上下に媒体収納部１３１１が配列されて形成されている。しかし、装填制限機構２０００の上方規制機構２１００と下方規制機構２２００と左方規制機構２３００とにより、媒体１２００を装填できる規定順序が規制されている。
【００９６】
このため、作業者はデータ取得ユニット１５００で媒体識別データを取得した媒体１２００を、マガジン１３００の装填できる媒体収納部１３１１に装填すれば、自動的に複数の媒体識別データと規定順序とを対応させることができる。
【００９７】
しかも、本実施の形態のライブラリ装置１０００では、データ取得ユニット１５００がマガジン１３００に着脱自在に装着され、データ取得ユニット１５００で取得された媒体識別データがマガジン１３００のマガジン回路ユニット１３３０に記憶される。
【００９８】
このため、媒体識別データが取得された媒体１２００が、間違ったマガジン１３００に装填されることを良好に防止できる。さらに、データ取得ユニット１５００を取り外したマガジン１３００がライブラリ装置本体１１００にセットされるので、このセットにデータ取得ユニット１５００が邪魔となることがない。
【００９９】
なお、本実施の形態のライブラリ装置１０００のマガジン１３００では、上述のように媒体１２００の装填が規定順序に制限されているので、ライブラリ装置本体１１００の内部で媒体１２００を移動させる場合などに不都合がある可能性がある。
【０１００】
そこで、これを以下のように考察する。まず、ある媒体収納部１３１１から他の媒体収納部１３１１まで媒体１２００を移動させる場合、マガジン１３００に装填された媒体１２００の個数をｎ個と仮定する。
【０１０１】
この場合、図１５に示すように、任意のｍ番目の媒体収納部１３１１に装填された媒体１２００（０＜ｍ≦ｎ）を、最後(ｎ番目)の媒体１２００が装填されたｎ番目の媒体収納部１３１１から、二番目（ｎ＋２)以降の媒体収納部１３１１へと移動することは、装填制限機構２０００が解除されていないため、できない。
【０１０２】
また、図１６に示すように、前方のｍ番目の媒体収納部１３１１からｍ番目の媒体１２００をテープドライブ１６１０に移送する場合、媒体収納部１３１１からの取り出しは従来と変わりない。そのｍ番目の媒体１２００をテープドライブ１６１０からｍ番目の媒体収納部１３１１に戻す場合、その装填制限機構２０００は解除されているため問題ない。
【０１０３】
ただし、テープドライブ１６１０から取り出したｍ番目の媒体１２００を、（ｎ＋２)以降の媒体収納部１３１１へと移動することは、やはり装填制限機構２０００が解除されていないため、できない。
【０１０４】
図１７に示すように、後方のｐ番目の媒体１２００をテープドライブ１６１０へ装填する場合、取り出しは従来と変わらない。この場合、前方の（ｐ＋１)の媒体１２００を(ｎ＋１)番目の媒体収納部１３１１へ一時待避させる。（従来も装置が空の媒体収納部１３１１を自動的に判断する）。
【０１０５】
つぎに、従来と同様に、後方のｐ番目の媒体１２００をテープドライブ１６１０へ装填する。このｐ番目の媒体１２００をテープドライブ１６１０から媒体収納部１３１１に戻す場合は、もとの媒体収納部１３１１に戻す場合は、通常と変わらない。
【０１０６】
制限事項としては、前方の媒体１２００（ｐ＋１番）が、(ｎ＋１)の媒体収納部１３１１に待避されているため、(ｎ＋３)番目以降の媒体収納部１３１１へは媒体１２００を装填できない。
【０１０７】
しかし、一般的なライブラリ装置１０００におけるバックアップ処理などを実行する場合、不具合を起こす目的で、上述のような媒体１２００の媒体収納部１３１１から媒体収納部１３１１への移動、テープドライブ１６１０から媒体収納部１３１１への移動、を実施しない限り、上述のように媒体１２００を媒体収納部１３１１に装填できないことは発生しない。
【０１０８】
実際、一般的なバックアップアプリケーションソフトでは、媒体１２００の媒体収納部１３１１から媒体収納部１３１１への移動は、ほとんど実施されず、任意の媒体収納部１３１１の媒体１２００をテープドライブ１６１０にてリードライトを実施完了した後、自動的に取り出した同一の媒体収納部１３１１に戻すようになっている。
【０１０９】
つまり、本実施の形態のマガジン１３００を使用するライブラリ装置１０００では、ライブラリ装置本体１１００の内部で媒体１２００を移動させる場合でも、実質的に問題がない。
【０１１０】
なお、本発明は本実施の形態に限定されるものではなく、その要旨を逸脱しない範囲で各種の変形を許容する。例えば、上記形態ではマガジン１３００のマガジン接続電極１３３２と、データ取得ユニット１５００のユニット接続電極１５１１とを、機械的に接合させて電気的に接続させることを例示した。
【０１１１】
しかし、図１８に例示するマガジン３１００およびデータ取得ユニット３２００のように、マガジン３１００とデータ取得ユニット３２００とがＲＦＩＤ(Radio Frequency Identification)チップなどの無線通信素子３１１０，３２１０で非接触に無線通信してもよい。この場合、ライブラリ装置本体(図示せず)も無線通信素子を有し、やはりセットされたマガジン３１００と無線通信すればよい。
【０１１２】
また、上記形態ではマガジン１３００にデータ取得ユニット１５００が着脱自在に接続されることを例示した。しかし、データ取得ユニット１５００がマガジン１３００に固定的に接続されており、データ取得ユニット１５００の収納スペースがマガジンに形成されていてもよい(図示せず)。さらに、マガジンの上面などにデータ取得ユニットが一体に内蔵されていてもよい。
【０１１３】
また、上記形態ではデータ取得ユニット１５００がマガジン１３００ではなくライブラリ装置本体１１００に着脱自在に接続されてもよく、固定的に接続されていてもよい(図示せず)。この場合、マガジン１３００にマガジン回路ユニット１３３０を搭載する必要がない。
【０１１４】
さらに、上記形態ではマガジン１３００のマガジン回路ユニット１３３０に規定順序が登録されており、これが取得された媒体識別データととともにライブラリ装置本体１１００に取得されることを例示した。
【０１１５】
しかし、マガジン１３００にはマガジン識別データのみ登録されており、ライブラリ装置本体１１００にマガジン識別データごとに規定順序が登録されていてもよい。この場合、マガジン１３００がライブラリ装置本体１１００にセットされると、マガジン１３００からライブラリ装置本体１１００にマガジン識別データと媒体識別データとが取得され、マガジン識別データから規定順序が取得されてインベントリ処理が実行される(図示せず)。
【０１１６】
また、もしもマガジン１３００が一種類の場合には、上述のようなマガジン識別データは必要なく、ライブラリ装置本体１１００に一つの規定順序のみ登録されていればよい(図示せず)。
【０１１７】
さらに、上記形態では媒体１２００の媒体識別データがバーコードマークとして記録されていることを例示したが、これが二次元コードマークなどで記録されていてもよい。
【０１１８】
また、媒体１２００に媒体識別データが格納された磁気ストライプが貼付されており、データ取得ユニットに磁気ヘッドが搭載されていてもよい。同様に、媒体１２００に、媒体識別データが格納されたＲＦＩＤチップが搭載されており、データ取得ユニット１５００にＲＦＩＤリーダが搭載されていてもよい(図示せず)。
【０１１９】
さらに、上記形態ではマガジン１３００に左右方向だけでなく上下方向と前後方向にも複数の媒体収納部１３１１が配列されて形成されていることを例示した。しかし、マガジンに複数の媒体収納部が左右上下に配列されて形成されていてもよく、左右前後に配列されて形成されていてもよく、左右のみ配列されて形成されていてもよい(図示せず)。
【０１２０】
また、上記形態ではライブラリ装置本体１１００の本体回路ユニット１６００の各種機能が、マイクロコンピュータに実装されたコンピュータプログラムで実現されることを例示した。しかし、このような本体回路ユニット１６００の各種機能が専用のハードウェアで実現されていてもよく、ハードウェアとソフトウェアとの組み合わせで実現されていてもよい。
【０１２１】
さらに、本実施の形態の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【符号の説明】
【０１２２】
１０００  ライブラリ装置
１１００  ライブラリ装置本体
１１１０  マガジン収納部
１２００  媒体
１３００  マガジン
１３１１  媒体収納部
１５００  データ取得ユニット
１６００  本体回路ユニット
２０００  装填制限機構
３１００  マガジン
３２００  データ取得ユニット
【図１】
0005812432.tif 000002
【図２】
0005812432.tif 000003
【図３】
0005812432.tif 000004
【図４】
0005812432.tif 000005
【図５】
0005812432.tif 000006
【図６】
0005812432.tif 000007
【図７】
0005812432.tif 000008
【図８】
0005812432.tif 000009
【図９】
0005812432.tif 000010
【図１０】
0005812432.tif 000011
【図１１】
0005812432.tif 000012
【図１２】
0005812432.tif 000013
【図１３】
0005812432.tif 000014
【図１４】
0005812432.tif 000015
【図１５】
0005812432.tif 000016
【図１６】
0005812432.tif 000017
【図１７】
0005812432.tif 000018
【図１８】
0005812432.tif 000019